(57)【要約】【課題】本発明は、ミニチュアサイズの大きさや形状であっても、表情や模様などを豊かに表現可能な人形を容易に製造することのできる人形の製造方法を提供する。【解決手段】軽量粘土にて芯体２１を形成する一方、芯体２１に布地２２を接着して被覆し、布地２２の表面に芯体２１を通して表情４１、４２や模様４６などを刺繍して構成部品１２、１３、１４、１５、１６、１７を形成した後、構成部品１２、１３、１４、１５、１６、１７を相互に縫着または接着により接合することで、ミニチュアサイズの大きさや形状であっても、表情４１、４２や模様４６などを豊かに表現可能な人形を容易に製造することができる。【選択図】  図１
2008253404.tif 000002
【特許請求の範囲】
【請求項１】
軽量粘土にて芯体を形成する一方、芯体に布地を接着して被覆し、次いで、布地の表面に芯体を通して表情や模様などを刺繍して構成部品を形成した後、構成部品を相互に接合することを特徴とする人形の製造方法。
【請求項２】
前記構成部品が縫着または接着によって接合されることを特徴とする請求項１に記載の人形の製造方法。
【発明の詳細な説明】
【技術分野】
【０００１】
本発明は、人形の製造法に関するものである。
【背景技術】
【０００２】
従来から、鑑賞用人形としては、表情を表現した芯体を衣服によって被覆し、芯体の表情や衣服によって個性を表現した人形、例えば、雛人形に代表される日本人形が知られている。
【０００３】
また、予め裁断された胴体部分の布地に手足などの部品を接着した後、布地の周縁を縫着し、その内部に綿などの充填材を詰め込んで製造された人形も提案されている（例えば、特許文献１参照）。
【特許文献１】特公昭６１−３５７９０号公報
【発明の開示】
【発明が解決しようとする課題】
【０００４】
しかしながら、特許文献１に係る人形においては、手足などの部品には、内部に補強芯材が必要となり、細かな部品を必要とするようなミニチュアサイズの人形を製造することはきわめて難しい。また、目や口などのパーツを対応する位置に貼着して人形の表情などを表現することから、人形の大きさが小さくなると、対応するパーツも小さくなり、接着面積が縮小して簡単に脱落するおそれがある。さらに、綿などの充填材を芯体として使用するため、芯体に負荷が作用すると、容易に変形し、元の形状に復帰しにくいという欠点がある。
【０００５】
本発明は、このような問題点に鑑みてなされたもので、ミニチュアサイズの大きさや形状であっても、表情や模様などを豊かに表現可能な人形を容易に製造することのできる人形の製造方法を提供するものである。
【課題を解決するための手段】
【０００６】
本発明は、軽量粘土にて芯体を形成する一方、芯体に布地を接着して被覆し、次いで、布地の表面に芯体を通して表情や模様を刺繍して構成部品を形成した後、構成部品を相互に接合することを特徴とするものである。
【０００７】
ここで、軽量粘土としては、合成樹脂製の微小中空球体を主材とし、糊剤、繊維剤、水などを配合したものであり、いかなる形状にも形成することができるとともに、乾燥後も一定の弾性を有することから、針および糸を挿通しても亀裂が入って壊れることがなく、しかも、硬化後は一定の強度を保持し、破損しにくいという性状を有している。
【０００８】
また、布地としては、縮緬、特に、一越縮緬を好適に採用することができる。すなわち、一越縮緬の細かなシボが人形の表情などを表現する際に手助けとなり、その他に、芯体への接着が容易となる。
【０００９】
本発明によれば、胴部などの構成部品の芯体に軽量粘土を用いて形成した後、布地に接着剤を塗布し、各芯体に布地を接着してその周囲を被覆する。次いで、布地の表面に芯体を通して表情や模様などを刺繍し、布地と芯体とを一体化することで構成部品を形成する。その後、構成部品を相互に接合して人形を製造する。
【００１０】
この結果、いかなる大きさや形状であっても、例えば、ミニチュアサイズの大きさや形状であっても、表情や模様などを豊かに表現可能な人形を容易に製造することができる。
【００１１】
本発明において、前記構成部品が縫着または接着によって接合されることが好ましい。
【００１２】
これにより、構成部品を強固に接合することができ、構成部品の脱落を確実に防止することができる。
【発明の効果】
【００１３】
本発明によれば、ミニチュアサイズの大きさや形状であっても、表情や模様などを豊かに表現可能な人形を容易に製造することができる。
【発明を実施するための最良の形態】
【００１４】
以下、本発明の実施の形態について、図面を参照して説明する。
【００１５】
図１には、本発明の製造方法で製造された人形１１の一実施形態が示されている。
【００１６】
この人形１１は、兎を象っており、主に、頭部１２、胴部１３、耳部１４、腕部１５、脚部１６、尾部１７の構成部品から構成されており、体長が約３ｃｍ、重さが２ｇのミニチュアサイズに形成されている。そして、人形１１を構成する各構成部品は、芯体２１を布地２２によって被覆して形成されている。また、頭部１２には目４１および口４２を、腕部１５には手指４６をそれぞれ表現するための刺繍が施されている他、頭部１２には頬４３を、耳部１４にはその穴を、脚部１５には足裏４５をそれぞれ表現するためのアップリケが貼着されている。この場合、アップリケは、芯体２１を被覆する布地２２の色柄模様とは異なる色柄模様が採用されており、アップリケ用布地に接着剤を塗布し、乾燥後に固くなったこのアップリケ用布地を型抜きしたものである。あるいは、厚みが必要な部分のアップリケは、同一もしくは異なる色柄模様のアップリケ用布地を相互に貼着させ、乾燥後にこのアップリケ用布地を型抜きしたものであってもよい。さらに、腕部１５には、装飾用の花びら１８が縫着されている。
【００１７】
ここで、芯体２１は、合成樹脂製の微小中空球体を主材とし、糊剤、繊維剤、水などが配合されてなる軽量粘土から形成されている。この軽量粘土は、粘性と可塑性に優れているので、細かな形状であっても容易に形成することができ、自然乾燥後においても弾性を有し、硬化して脆くなることがない。そのため、後述するように、芯体２１に針や糸を通しても、芯体２１が破損して形状が崩れることがなく、かつ、その後も形状を保つ性状を有している。
【００１８】
この実施形態においては、芯体２１を被覆する布地２２の色柄模様に影響がないように、白色の軽量粘土を採用しているが、布地２２の色柄模様によっては、着色した軽量粘土を使用してもよい。
【００１９】
一方、布地２２は、レーヨン素材の縮緬、具体的には、一越縮緬が採用されている。一越し縮緬は、普通の縮緬よりもシボ（生地の凹凸）が細かく、伸縮性を有するので、接着剤での接着が可能で、弛みやしわを与えることなく芯体２１を被覆することができる。したがって、小さな大きさや形状であっても対応することができ、使い勝手がよい。しかも、縮緬によって和風の趣を表現することができる。
【００２０】
なお、布地２２としては、一越縮緬に限るものではなく、人形の表情や模様などを表現するために粗いシボを有する普通の縮緬を使用してもよく、あるいは、光沢を与えて高級感を演出するために絹素材の縮緬を用いてもよい。また、この布地２２は縮緬に限るものではなく、シボのない絹素材や綿素材のものを用いてもよい。
【００２１】
次に、このような構成部品によって製造された人形１１の製造工程について説明する。
【００２２】
まず、構成部品である頭部１２、胴部１３、耳部１４、腕部１５、脚部１６、尾部１７にそれぞれ対応する型枠に軽量粘土を詰めて型を抜き、それぞれの構成部品の芯体２１を成形する。このとき、置物として安定するように、胴部１３の底面を平坦に形成する他、型抜き後の耳部１４や尾部１７などの形状に鋏などを利用して整形する。
【００２３】
このようにして成形された芯体２１は、設定時間自然乾燥させた後、各芯体２１に対応する大きさに予め裁断された布地２２の裏面全体に接着剤を塗布し、その布地２２を芯体に貼着する。この際、へら５３などを用いて弛みやしわが発生しないように芯体２１に貼着する。これにより、軽量粘土によって形成された芯体２１の立体形状を崩すことがない。また、後述する接合部分を考慮して、布地２２の端部処理を行う。
【００２４】
芯体２１に対する布地２２の貼着が終了すれば、余分な布地を裁断した後、必要な構成部品の布地２２、例えば、頭部１２の布地２２の表面に目４１および口４２を、腕部１５の布地２２の表面に手指４６をそれぞれ刺繍して表現する。具体的には、図２に示すように、首に対応する位置から針を介して糸２３を芯体２１を経て布地２２に挿通し、布地２２の表面に片方の目４１を玉止めした後、首部分に縫い付け、さらに、他方の目４１を玉止めし、再び首部分に縫い付ける。その後、同様に、布地２２の表面に口４２を刺繍を施すことによって表現し、縫い始めた首部分にて玉結びして縫い終える。また、腕部１５については、胴部１３に対する接着する側となる裏面側から縫い始めて手指の刺繍を施して表現した後、縫い始めた裏面側で縫い終える。
【００２５】
その他、表情や模様を表現するための頬４３、耳部１４の穴４４、脚部１６の足裏４５のアップリケに接着剤を介して貼着する他、装飾用の花１８を腕部１５に刺繍を施す際に合わせて縫着する。
【００２６】
次いで、胴部１３に対して頭部１２を縫着して接合する一方、胴部１３に対して腕部１５、脚部１６、尾部１７を接着剤を介して接合するとともに、頭部１２に対して耳部１４を接着剤を介して接合する。この耳部１４は頭部１２に予め挿入孔３５を設けてから、この挿入孔３５に接着剤が塗布された耳の根元部３４を挿入して接合する。これらの構成部品は、刺繍の始末や布地の端部が隠れるように接合する。
【産業上の利用可能性】
【００２７】
本発明の人形の製造方法は、この製造方法をもとにして、初心者でも容易に製作できる人形作成キットに利用することができる。
【図面の簡単な説明】
【００２８】
【図１】本発明の実施形態に係る人形の全体斜視図である。
【図２】本発明の実施形態に係る人形の芯体に布地を被覆する製造過程の斜視図である。
【図３】本発明の実施形態に係る人形の頭部に刺繍する過程の斜視図である。
【符号の説明】
【００２９】
１１  人形
１２  頭部
１３  胴部
１４  耳部
１５  腕部
１６  脚部
１７  尾部
２１  芯体
２２  布地
２３  糸
４１  目
４２  口
４６  手指
【図１】
2008253404.tif 000003
【図２】
2008253404.tif 000004
【図３】
2008253404.tif 000005